(57)【要約】【課題】発言者が違和感を覚えることを防止可能なプロジェクタ、送信端末および音声出力制御方法を提供する。【解決手段】プロジェクタ２は、プロジェクタ情報格納部２１に格納されたプロジェクタ設置区域情報と、受信管理部２２で受信された送信端末設置区域情報と、に基づいて、送信端末１とプロジェクタ２の両者が同じ区域にあるか否かを判別する判別部２３と、両者が同じ区域にある場合には、送信端末１から映像データと音声データを受信した際に、映像データに基づく映像を出力すると共に音声データに基づく音声の出力を禁止し、両者が同じ区域にない場合には、送信端末１から映像データと音声データを受信した際に、映像データに基づく映像と音声データに基づく音声とを出力する出力部２４と、を含む。【選択図】図３
2008294806.tif 000002
【特許請求の範囲】
【請求項１】
送信端末と通信可能なプロジェクタであって、
前記プロジェクタの設置区域を特定するための第１区域情報を格納する格納手段と、
前記送信端末から、当該送信端末の設置区域を特定するための第２区域情報を受信する受信管理手段と、
前記格納手段に格納された第１区域情報と、前記受信管理手段で受信された第２区域情報と、に基づいて、前記送信端末と前記プロジェクタの両者が同じ区域にあるか否かを判別する判別手段と、
前記両者が同じ区域にある場合には、前記送信端末から映像データと音声データを受信した際に、当該映像データに基づく映像を出力すると共に当該音声データに基づく音声の出力を禁止し、前記両者が同じ区域にない場合には、前記送信端末から映像データと音声データを受信した際に、当該映像データに基づく映像と当該音声データに基づく音声とを出力する出力手段と、を含むプロジェクタ。
【請求項２】
請求項１に記載にプロジェクタにおいて、
前記出力手段は、
前記判別手段の判別結果を記憶する記憶手段と、
映像データを受け付けた際に、当該映像データに基づく映像を出力する映像出力手段と、
音声データを受け付けた際に、当該音声データに基づく音声を出力する音声出力手段と、
前記送信端末から映像データと音声データを受信した際に、前記記憶手段を参照し、前記両者が同じ区域にある場合には、前記映像出力手段に当該映像データを提供すると共に前記音声出力手段への当該音声データの提供を禁止し、前記両者が同じ区域にない場合には、前記映像出力手段に当該映像データを提供すると共に前記音声出力手段に当該音声データを提供する制御手段と、を含むプロジェクタ。
【請求項３】
請求項１または２に記載のプロジェクタにおいて、
前記受信管理手段は、前記送信端末から、前記第２区域情報を含む接続要求を受信し、当該接続要求の応答を、前記送信端末に送信する、プロジェクタ。
【請求項４】
請求項１ないし３のいずれか１項に記載のプロジェクタにおいて、
前記受信管理手段および前記出力手段は、ＩＰネットワークを介して前記送信端末と通信し、
前記第１区域情報は、前記プロジェクタのＩＰアドレスおよびサブネットマスクであり、
前記第２区画情報は、前記送信端末のＩＰアドレスおよびサブネットマスクであり、
前記判別手段は、前記両者のＩＰアドレスおよびサブネットマスクから、前記両者のネットワークアドレスを各々算出し、両ネットワークアドレスが一致する場合に、前記両者が同じ区域にあると判別し、両ネットワークアドレスが一致しない場合に、前記両者が同じ区域にないと判別する、プロジェクタ。
【請求項５】
請求項１ないし３のいずれか１項に記載のプロジェクタにおいて、
前記第１区画情報は、前記プロジェクタの設置区域を特定するためのキーワードであり、
前記第２区画情報は、前記送信端末の設置区域を特定するためのキーワードである、プロジェクタ。
【請求項６】
送信端末と通信可能なプロジェクタの音声出力制御方法であって、
前記プロジェクタの設置区域を特定するための第１区域情報を格納する格納ステップと、
前記送信端末から、当該送信端末の設置区域を特定するための第２区域情報を受信する受信ステップと、
前記第１区域情報と前記第２区域情報とに基づいて、前記送信端末と前記プロジェクタの両者が同じ区域にあるか否かを判別する判別ステップと、
前記両者が同じ区域にある場合には、前記送信端末から映像データと音声データを受信した際に、当該映像データに基づく映像を出力すると共に当該音声データに基づく音声の出力を禁止し、前記両者が同じ区域にない場合には、前記送信端末から映像データと音声データを受信した際に、当該映像データに基づく映像と当該音声データに基づく音声とを出力する出力ステップと、を含む音声出力制御方法。
【請求項７】
請求項６に記載に音声出力制御方法において、
前記出力ステップでは、
前記判別結果を記憶手段に記憶し、
前記送信端末から映像データと音声データを受信した際に、前記記憶手段を参照し、前記両者が同じ区域にある場合には、当該映像データに基づく映像を出力すると共に当該音声データに基づく音声の出力を禁止し、前記両者が同じ区域にない場合には、前記送信端末から映像データと音声データを受信した際に、当該映像データに基づく映像と当該音声データに基づく音声とを出力する、音声出力制御方法。
【請求項８】
請求項６または７に記載の音声出力制御方法において、
前記受信ステップでは、前記送信端末から、前記第２区域情報を含む接続要求を受信し、当該接続要求の応答を、前記送信端末に送信する、音声出力制御方法。
【請求項９】
請求項６ないし８のいずれか１項に記載の音声出力制御方法において、
前記受信ステップおよび前記出力ステップでは、ＩＰネットワークを介して前記送信端末と通信し、
前記第１区域情報は、前記プロジェクタのＩＰアドレスおよびサブネットマスクであり、
前記第２区画情報は、前記送信端末のＩＰアドレスおよびサブネットマスクであり、
前記判別のステップでは、前記両者のＩＰアドレスおよびサブネットマスクから、前記両者のネットワークアドレスを各々算出し、両ネットワークアドレスが一致する場合に、前記両者が同じ区域にあると判別し、両ネットワークアドレスが一致しない場合に、前記両者が同じ区域にないと判別する、音声出力制御方法。
【請求項１０】
請求項６ないし８のいずれか１項に記載の音声出力制御方法において、
前記第１区画情報は、前記プロジェクタの設置区域を特定するためのキーワードであり、
前記第２区画情報は、前記送信端末の設置区域を特定するためのキーワードである、音声出力制御方法。
【請求項１１】
プロジェクタと通信可能な送信端末であって、
前記プロジェクタから、当該プロジェクタの設置区域を特定するための第１区域情報を受信する通信管理手段と、
前記送信端末の設置区域を特定するための第２区域情報を格納する格納手段と、
前記通信管理手段で受信された第１区域情報と、前記格納手段に格納された第２区域情報と、に基づいて、前記送信端末と前記プロジェクタの両者が同じ区域にあるか否かを判別する判別手段と、
ユーザの音声に応じた音声データを受け付け出力する音声データ出力手段と、
配信用の映像データを出力する映像データ出力手段と、
前記両者が同じ区域にある場合には、前記映像データを前記プロジェクタに送信すると共に前記プロジェクタへの前記音声データの送信を禁止し、前記両者が同じ区域にない場合には、前記映像データと前記音声データを、前記プロジェクタに送信する送信手段と、を含む送信端末。
【請求項１２】
請求項１１に記載の送信端末において、
前記送信手段は、
前記判別手段の判別結果を記憶する記憶手段と、
前記記憶手段を参照して、前記両者が同じ区域にある場合には、前記映像データを前記プロジェクタに送信すると共に前記プロジェクタへの前記音声データの送信を禁止し、前記両者が同じ区域にない場合には、前記映像データと前記音声データを、前記プロジェクタに送信する送信制御手段と、を含む送信端末。
【請求項１３】
プロジェクタと通信可能な送信端末の音声出力制御方法であって、
前記プロジェクタから、当該プロジェクタの設置区域を特定するための第１区域情報を受信する受信ステップと、
前記送信端末の設置区域を特定するための第２区域情報を格納する格納ステップと、
前記第１区域情報と前記第２区域情報とに基づいて、前記送信端末と前記プロジェクタの両者が同じ区域にあるか否かを判別する判別ステップと、
ユーザの音声に応じた音声データを受け付け出力する音声データ出力ステップと、
配信用の映像データを出力する映像データ出力ステップと、
前記両者が同じ区域にある場合には、前記映像データを前記プロジェクタに送信すると共に前記プロジェクタへの前記音声データの送信を禁止し、前記両者が同じ区域にない場合には、前記映像データと前記音声データを、前記プロジェクタに送信する送信ステップと、を含む音声出力制御方法。
【請求項１４】
請求項１３に記載の音声出力制御方法において、
前記送信ステップでは、
前記判別結果を記憶手段に記憶し、
前記記憶手段を参照して、前記両者が同じ区域にある場合には、前記映像データを前記プロジェクタに送信すると共に前記プロジェクタへの前記音声データの送信を禁止し、前記両者が同じ区域にない場合には、前記映像データと前記音声データを、前記プロジェクタに送信する、音声出力制御方法。
【発明の詳細な説明】
【技術分野】
【０００１】
本発明は、プロジェクタ、送信端末および音声出力制御方法に関する。
【背景技術】
【０００２】
送信端末とネットワークを介して通信可能なプロジェクタが知られている（特許文献１参照）。また、プロジェクタは、ＩＰネットワークを介して映像データおよび音声データを受信する機能を有するようになった。このため、プロジェクタが送信端末から離れた場所にあっても、ユーザは、映像と音声を用いた柔軟なプレゼンテーションを行うことが可能になってきている。
【０００３】
また、ＩＰネットワークの大容量化が進んでいる。このため、ＭＣＵ（Multipoint Control Unit）等の装置に設備投資して回線コストを抑える代わりに、設備投資なしにピアツーピア方式で簡単にプレゼンテーションシステムを構成する選択肢も出てきている。
【０００４】
例えば、プロジェクタと送信端末との組が多地点に設けられ、各送信端末が全てのプロジェクタと通信する多地点プレゼンテーションシステムが考えられる。
【特許文献１】特開２００７−３６９６５号公報
【発明の開示】
【発明が解決しようとする課題】
【０００５】
映像データと音声データとを受信する機能を有するプロジェクタを用いて、多地点プレゼンテーションシステムを構成する場合、以下のような問題が生じる。
【０００６】
送信端末が、自端末に接続されているマイク等から入力された発言者の音声データを全てのプロジェクタに送信すると、その送信端末と組になっているプロジェクタも、その音声を再生してしまう。つまり、送信端末と同じ設置区域にあるプロジェクタが、発言者の音声を再生する。
【０００７】
このため、発言者は、自分が発した声とプロジェクタから出力される自分の声の両方を聞くことになり、違和感を覚えてしまうという問題が生じる。
【０００８】
本発明の目的は、発言者が違和感を覚えることを防止可能なプロジェクタ、送信端末および音声出力制御方法を提供することである。
【課題を解決するための手段】
【０００９】
上記目的を達成するために、本発明によるプロジェクタは、送信端末と通信可能なプロジェクタであって、前記プロジェクタの設置区域を特定するための第１区域情報を格納する格納手段と、前記送信端末から、当該送信端末の設置区域を特定するための第２区域情報を受信する受信管理手段と、前記格納手段に格納された第１区域情報と、前記受信管理手段で受信された第２区域情報と、に基づいて、前記送信端末と前記プロジェクタの両者が同じ区域にあるか否かを判別する判別手段と、前記両者が同じ区域にある場合には、前記送信端末から映像データと音声データを受信した際に、当該映像データに基づく映像を出力すると共に当該音声データに基づく音声の出力を禁止し、前記両者が同じ区域にない場合には、前記送信端末から映像データと音声データを受信した際に、当該映像データに基づく映像と当該音声データに基づく音声とを出力する出力手段と、を含む。
【００１０】
また、本発明による音声出力制御方法は、送信端末と通信可能なプロジェクタの音声出力制御方法であって、前記プロジェクタの設置区域を特定するための第１区域情報を格納する格納ステップと、前記送信端末から、当該送信端末の設置区域を特定するための第２区域情報を受信する受信管理ステップと、前記第１区域情報と前記第２区域情報とに基づいて、前記送信端末と前記プロジェクタの両者が同じ区域にあるか否かを判別する判別ステップと、前記両者が同じ区域にある場合には、前記送信端末から映像データと音声データを受信した際に、当該映像データに基づく映像を出力すると共に当該音声データに基づく音声の出力を禁止し、前記両者が同じ区域にない場合には、前記送信端末から映像データと音声データを受信した際に、当該映像データに基づく映像と当該音声データに基づく音声とを出力する出力ステップと、を含む。
【００１１】
また、本発明による送信端末は、プロジェクタと通信可能な送信端末であって、前記プロジェクタから、当該プロジェクタの設置区域を特定するための第１区域情報を受信する通信管理手段と、前記送信端末の設置区域を特定するための第２区域情報を格納する格納手段と、前記通信管理手段で受信された第１区域情報と、前記格納手段に格納された第２区域情報と、に基づいて、前記送信端末と前記プロジェクタの両者が同じ区域にあるか否かを判別する判別手段と、ユーザの音声に応じた音声データを受け付け出力する音声データ出力手段と、配信用の映像データを出力する映像データ出力手段と、前記両者が同じ区域にある場合には、前記映像データを前記プロジェクタに送信すると共に前記プロジェクタへの前記音声データの送信を禁止し、前記両者が同じ区域にない場合には、前記映像データと前記音声データを、前記プロジェクタに送信する送信手段と、を含む。
【００１２】
また、本発明による音声出力制御方法は、プロジェクタと通信可能な送信端末の音声出力制御方法であって、前記プロジェクタから、当該プロジェクタの設置区域を特定するための第１区域情報を受信する通信管理ステップと、前記送信端末の設置区域を特定するための第２区域情報を格納する格納ステップと、前記第１区域情報と前記第２区域情報とに基づいて、前記送信端末と前記プロジェクタの両者が同じ区域にあるか否かを判別する判別ステップと、ユーザの音声に応じた音声データを受け付け出力する音声データ出力ステップと、配信用の映像データを出力する映像データ出力ステップと、前記両者が同じ区域にある場合には、前記映像データを前記プロジェクタに送信すると共に前記プロジェクタへの前記音声データの送信を禁止し、前記両者が同じ区域にない場合には、前記映像データと前記音声データを、前記プロジェクタに送信する送信ステップと、を含む。
【発明の効果】
【００１３】
本発明によれば、発言者が自分が発した声とプロジェクタから出力される自分の声の両方を聞くことにより違和感を覚えることを防止可能になる。
【発明を実施するための最良の形態】
【００１４】
以下、本発明の実施例の構成について図面を参照して詳細に説明する。
【００１５】
まず、図１を参照して、プロジェクタを用いた多地点プレゼンテーションシステムについて説明する。
【００１６】
図１に示した多地点プレゼンテーションシステムでは、３つの区域、区域Ａ、区域Ｂおよび区域Ｃに、送信端末１とプロジェクタ２が設けられている。具体的には、区域Ａには送信端末１Ａとプロジェクタ２Ａが設けられ、区域Ｂには送信端末１Ｂとプロジェクタ２Ｂが設けられ、区域Ｃには送信端末１Ｃとプロジェクタ２Ｃが設けられている。
【００１７】
なお、送信端末１Ａ、１Ｂおよび１Ｃは同一構成であり、プロジェクタ２Ａ、２Ｂおよび２Ｃも同一構成である。
【００１８】
それぞれの送信端末１Ａ、１Ｂおよび１Ｃは、全てのプロジェクタ２Ａ、２Ｂおよび２Ｃと、ＩＰネットワーク９を介して接続されている。
【００１９】
それぞれの送信端末１Ａ、１Ｂおよび１Ｃは、全てのプロジェクタ２Ａ、２Ｂおよび２Ｃに、ピアツーピア通信方式で、映像データや音声データを送信する。
【００２０】
区域Ａの送信端末１Ａが、プレゼンテーションにおける発表者にて使用される場合、送信端末１Ａは、全てのプロジェクタ２Ａ、２Ｂおよび２Ｃへ映像データを送信する。
【００２１】
音声データに関しては、それぞれの送信端末１Ａ、１Ｂおよび１Ｃは、発表者に使用されるか否かによらず、全てのプロジェクタ２Ａ、２Ｂおよび２Ｃへ音声データを送信する。
【００２２】
本実施例では、送信端末１Ａからの音声データは、送信端末１Ａと同じ区域にあるプロジェクタ２Ａを除く、プロジェクタ２Ｂおよび２Ｃで再生される。同様に、送信端末１Ｂからの音声データは、プロジェクタ２Ａおよび２Ｃで再生され、送信端末１Ｃからの音声データは、プロジェクタ２Ａおよび２Ｂで再生される。
【００２３】
なお、送信端末１とプロジェクタ２が設けられる区域は、３つに限らず適宜変更可能である。
【００２４】
次に、図２〜図３を参照して、本発明の第１の実施例の構成について説明する。
【００２５】
図２は、送信端末１の構成を示したブロック図である。なお、送信端末１は、図１に示した送信端末１Ａ、１Ｂおよび１Ｃとして用いられる。
【００２６】
送信端末１は、送信端末情報格納部１１、送信管理部１２、送信先リスト格納部１３、映像入力部１４、映像圧縮部１５、音声入力部１６、音声圧縮部１７、データ多重化部１８、および、送信部１９を有する。
【００２７】
ただし、映像圧縮部１５および音声圧縮部１７は必須ではなく、データを圧縮する必要がなければ省略されてもよい。
【００２８】
また、送信端末１は、マイク３を外部接続または内蔵することで、発言者の音声に応じた音声データを音声入力部１６に取り込むことが可能な構成をとる。
【００２９】
また、送信部１９は、送信先リスト格納部１３を内蔵してもよいし、内蔵しなくてもよい。
【００３０】
図３は、本発明の一実施例のプロジェクタ２の構成を示したブロック図である。なお、プロジェクタ２は、図１に示したプロジェクタ２Ａ、２Ｂおよび２Ｃとして用いられる。
【００３１】
プロジェクタ２は、プロジェクタ情報格納部２１、受信管理部２２、判別部２３、および、出力部２４を有する。出力部２４は、送信元リスト格納部２４ａ、第１出力部２４ｂ、第２出力部２４ｃ、および、制御部２４ｄを有する。第１出力部２４ｂは、映像展開部２４ｂ１と映像出力部２４ｂ２を有する。第２出力部２４ｃは、音声展開部２４ｃ１と音声出力部２４ｃ２を有する。制御部２４ｄは、受信部２４ｄ１、データ分離部２４ｄ２、および、フィルタ部２４ｄ３を有する。
【００３２】
ただし、映像展開部２４ｂ１および音声展開部２４ｃ１は必須ではなく、データを展開する必要がなければ省略してもよい。
【００３３】
また、受信管理部２２は、判別部２３を内蔵してもよいし、内蔵しなくてもよい。
【００３４】
また、受信部２４ｄ１は、送信元リスト格納部２４ａを内蔵してもよいし、内蔵しなくてもよい。
【００３５】
また、データ分離部２４ｄ２は、フィルタ部２４ｄ３を内蔵してもよいし、内蔵しなくてもよい。
【００３６】
図２に示した送信端末１において、送信端末情報格納部１１は、ユーザによって設定される送信端末情報を格納する。
【００３７】
送信端末情報は、送信端末１のＩＰアドレスおよびサブネットマスクなどの通信に必要な情報と、送信端末１の設置区域を特定するための送信端末設置区域情報と、を含む。なお、送信端末設置区域情報は、第２区域情報の一例である。
【００３８】
図４は、送信端末情報の一例を示した説明図である。
【００３９】
図４において、送信端末情報は、送信端末１のＩＰアドレス１１ａ、送信端末１のサブネットマスク１１ｂ、および、送信端末設置区域情報１１ｃを含む。なお、送信端末１のＩＰアドレス１１ａおよび送信端末１のサブネットマスク１１ｂが、送信端末設置区域情報１１ｃとして用いられてもよい。
【００４０】
図２に戻って、送信管理部１２は、送信端末情報格納部１１内の送信端末情報（図４参照）を送信元情報として含む接続要求データを生成し、その接続要求データに応じた接続要求をプロジェクタ２に送信する。
【００４１】
送信管理部１２は、その接続要求の応答として接続応答を受信し、その接続応答に含まれる送信先情報を送信部１９に通知する。送信先情報は、例えば、プロジェクタ２のＩＰアドレスおよびサブネットマスクである。送信部１９は、送信先情報を送信先リスト格納部１３に格納する。
【００４２】
図５は、送信先リスト格納部１３に格納された送信先情報１３ａの一例を示した説明図である。
【００４３】
図２に戻って、映像入力部１４は、入力される映像信号や送信端末１上で表示される映像をキャプチャして映像データを生成し、その映像データを映像圧縮部１５に供給する。
【００４４】
映像圧縮部１５は、映像データを圧縮して映像圧縮データを生成し、その映像圧縮データをデータ多重化部１８に供給する。
【００４５】
音声入力部１６は、入力される音声信号や送信端末上で再生される音声をキャプチャして音声データを生成し、その音声データを音声圧縮部１７に供給する。
【００４６】
音声圧縮部１７は、音声データを圧縮して音声圧縮データを生成し、その音声圧縮データをデータ多重化部１８に供給する。
【００４７】
データ多重化部１８は、映像圧縮データと音声圧縮データとを多重化して多重化データを生成し、その多重化データを送信部１９に供給する。
【００４８】
送信部１９は、送信先リスト格納部１３に登録されている送信先に対して、多重化データを送信する。なお、送信部１９は、送信端末情報格納部１１内の送信端末１のＩＰアドレス１１ａを、多重化データに付加し、送信端末１のＩＰアドレス１１ａが付加された多重化データを送信先（プロジェクタ２）に送信する。
【００４９】
図３に示したプロジェクタ２において、プロジェクタ情報格納部２１は、格納手段の一例である。プロジェクタ情報格納部２１は、ユーザによって設定されるプロジェクタ情報を格納する。
【００５０】
プロジェクタ情報は、プロジェクタ２のＩＰアドレスおよびサブネットマスクなどの通信に必要な情報と、プロジェクタの設置区域を特定するためのプロジェクタ設置区域情報と、を含む。なお、プロジェクタ設置区域情報は、第１区域情報の一例である。
【００５１】
図６は、プロジェクタ情報の一例を示した説明図である。
【００５２】
図６において、プロジェクタ情報は、プロジェクタ２のＩＰアドレス２１ａ、プロジェクタ２のサブネットマスク２１ｂ、および、プロジェクタ設置区域情報２１ｃを含む。なお、プロジェクタ２のＩＰアドレス２１ａおよびプロジェクタ２のサブネットマスク２１ｂが、プロジェクタ設置区域情報２１ｃとして用いられてもよい。
【００５３】
図３に戻って、受信管理部２２は、受信管理手段の一例である。受信管理部２２は、送信端末１からの接続要求を受信する。受信管理部２２は、その接続要求から送信元情報（送信端末情報）を抽出し、その送信元情報を判別部２３に供給する。
【００５４】
判別部２３は、判別手段の一例である。判別部２３は、送信元情報内の送信端末設置区域情報１１ｃと、プロジェクタ情報格納部２１内のプロジェクタ設置区域情報２１ｃと、に基づいて、送信端末１とプロジェクタ２が同じ区域にあるか否かを判別する。
【００５５】
例えば、送信端末設置区域情報１１ｃがプロジェクタ設置区域情報２１ｃと一致する場合、判別部２３は、送信端末１とプロジェクタ２が同じ区域にあると判別する。一方、送信端末設置区域情報１１ｃがプロジェクタ設置区域情報２１ｃと一致しない場合、判別部２３は、送信端末１とプロジェクタ２が同じ区域にないと判別する。
【００５６】
判別部２３は、送信端末１とプロジェクタ２が同じ区域にあると判別した場合、送信端末１からの音声データの再生を禁止するために、オフ状態の音声再生フラグを送信元情報に付加する。
【００５７】
また、判別部２３は、送信端末１とプロジェクタ２が同じ区域にないと判別した場合、送信端末１からの音声データの再生するために、オン状態の音声再生フラグを送信元情報に付加する。
【００５８】
判別部２３は、音声再生フラグが付加された送信元情報を、受信管理部２２に供給する。
【００５９】
なお、受信管理部２２は、判別部２３から送信元情報を受け付けた場合、その送信元情報とプロジェクタ情報格納部２１内のプロジェクタ情報とをもとに、接続応答データを生成し、その応答接続データに応じた応答データを送信端末１に返信する。
【００６０】
また、受信管理部２２は、音声再生フラグが付加された送信元情報を、出力部２４、具体的には受信部２４ｄ１に供給する。受信部２４ｄ１は、音声再生フラグが付加された送信元情報を、送信元リスト格納部２４ａに格納する。
【００６１】
出力部２４は、出力手段の一例である。
【００６２】
出力部２４は、送信端末１とプロジェクタ２とが同じ区域にある場合には、送信端末１から映像データと音声データを受信した際に、その映像データに基づく映像を出力すると共に、その音声データに基づく音声の出力を禁止する。
【００６３】
また、出力部２４は、送信端末１とプロジェクタ２とが同じ区域にない場合には、送信端末１から映像データと音声データを受信した際に、その映像データに基づく映像とその音声データに基づく音声とを出力する。
【００６４】
送信元リスト格納部２４ａは、記憶手段の一例である。送信元リスト格納部２４ａは、判別部２３の判別結果を記憶する。
【００６５】
図７は、送信元リスト格納部２４ａが記憶する情報に一例を示した説明図である。
【００６６】
図７において、送信元リスト格納部２４ａには、音声再生フラグが付加された送信元情報２４ａ１が記憶される。なお、音声再生フラグが、判別部２３の判別結果に対応する。
【００６７】
第１出力部２４ｂは、映像出力手段の一例である。第１出力部２４ｂは、映像データを受け付けた際に、その映像データに基づく映像を出力する。なお、映像データは、映像圧縮データでもよい。
【００６８】
映像展開部２４ｂ１は、映像圧縮データを展開して映像データを生成し、その映像データを映像出力部２４ｂ２に供給する。
【００６９】
映像出力部２４ｂ２は、映像データを映像信号に変換し、その映像信号に基づく映像をスクリーン（不図示）に投射する。
【００７０】
第２出力部２４ｃは、音声出力手段の一例である。第２出力部２４ｃは、音声データを受け付けた際に、その音声データに基づく音声を出力する。なお、音声データは、音声圧縮データでもよい。
【００７１】
音声展開部２４ｃ１は、音声圧縮データを展開して音声データを生成し、その音声データを音声出力部２４ｃ２に供給する。
【００７２】
音声出力部２４ｃ２は、音声データを音声信号に変換し、その音声信号に基づく音声をスピーカーから再生する。なお、音声出力部２４ｃ２は、スピーカーを内蔵している。
【００７３】
制御部２４ｄは、制御手段の一例である。
【００７４】
制御部２４ｄは、送信端末１から映像データと音声データを受信した際に、送信元リスト格納部２４ａを参照する。
【００７５】
制御部２４ｄは、その参照の結果、送信端末１とプロジェクタ２とが同じ区域にある場合には、第１出力部２４ｂに送信端末１からの映像データを提供すると共に、送信端末１からの音声データを第２出力部２４ｃに提供することを禁止する。
【００７６】
また、制御部２４ｄは、送信元リスト格納部２４ａの参照の結果、送信端末１とプロジェクタ２とが同じ区域にない場合には、第１出力部２４ｂに送信端末１からの映像データを提供すると共に、第２出力部２４ｃに送信端末１からの音声データを提供する。
【００７７】
受信部２４ｄ１は、受信手段の一例である。受信部２４ｄ１は、受信管理部２２から渡される送信元情報を、送信元リスト格納部２４ａに登録する。
【００７８】
また、受信部２４ｄ１は、送信端末１から多重化データを受信すると、その多重化データに付加されている送信元ＩＰアドレスをもとに、送信元リスト格納部２４ａを参照する。受信部２４ｄ１は、その送信元ＩＰアドレスに付加されている音声再生フラグを、送信元リスト格納部２４ａから取得する。受信部２４ｄ１は、その音声再生フラグを多重化データに付加し、音声再生フラグが付加された多重化データを、データ分離部２４ｄ２に供給する。
【００７９】
データ分離部２４ｄ２は、データ分離手段の一例である。データ分離部２４ｄ２は、多重化データを映像圧縮データと音声圧縮データとに分離し、映像圧縮データを映像展開部２４ｂ１に供給し、音声圧縮データをフィルタ部２４ｄ３に供給する。なお、データ分離部２４ｄ２は、多重化データに付加された音声再生フラグも、フィルタ部２４ｄ３に供給する。
【００８０】
フィルタ部２４ｄ３は、フィルタ手段の一例である。
【００８１】
フィルタ部２４ｄ３は、音声圧縮データと共に受け付けた音声再生フラグがオフの場合、すなわち、音声圧縮データを送信した送信端末１がプロジェクタ２と同じ区域にある場合、その音声圧縮データを破棄し、音声圧縮データに応じた音声の再生を禁止する。
【００８２】
また、フィルタ部２４ｄ３は、音声圧縮データと共に受け付けた音声再生フラグがオンの場合、すなわち、音声圧縮データを送信した送信端末１がプロジェクタ２と同じ区域にない場合、音声圧縮データを音声展開部２４ｃ１に供給する。
【００８３】
次に、図８〜図１０を参照して、第１の実施例の動作について詳細に説明する。
【００８４】
図８は、送信端末１とプロジェクタ２との間で、同じ区域からの音声をフィルタリングするための手順を説明するためのシーケンス図である。
【００８５】
送信端末１内の送信管理部１２は、例えば、ユーザ等の接続用動作に応じて、送信端末情報格納部１１内の送信端末情報をもとに、送信元情報（送信端末情報）を含む接続要求データを生成する（ステップＳ１）。
【００８６】
続いて、送信管理部１２は、接続要求データに応じた接続要求をプロジェクタ２へ送信する（ステップＳ２）。
【００８７】
プロジェクタ２内の受信管理部２２は、接続要求を受信すると、その接続要求から送信元情報を抽出し、その送信元情報を判別部２３に供給する。
【００８８】
判別部２３は、送信元情報内の送信端末設置区域情報１１ｃと、プロジェクタ情報格納部２１内のプロジェクタ設置区域情報２１ｃと、に基づいて、送信端末１とプロジェクタ２が同じ区域にあるか、つまり、音声を再生するか否かを判別する（ステップＳ３）。
【００８９】
例えば、送信端末１のＩＰアドレスおよびサブネットマスクが送信端末設置区域情報１１ｃとして用いられ、プロジェクタ２のＩＰアドレスおよびサブネットマスクがプロジェクタ設置区域情報２１ｃとして用いられた場合、判別部２３は以下のように動作する。
【００９０】
判別部２３は、図９に示すように、送信端末１とプロジェクタ２のＩＰアドレスとサブネットマスクから、それぞれのネットワークアドレスを算出して照合する（ステップＳ９０１、Ｓ９０２）。
【００９１】
両ネットワークアドレスが一致しなければ、判別部２３は、送信端末１とプロジェクタ２が同じ区域にないと判別し、音声を再生するために、オン状態の音声再生フラグを送信元情報に付加する（ステップＳ９０３）。
【００９２】
両ネットワークアドレスが一致したら、判別部２３は、送信端末１とプロジェクタ２が同じ区域にあると判別し、音声を再生しないために、オフ状態の音声再生フラグを送信元情報に付加する（ステップＳ９０４）。
【００９３】
各区域のネットワークアドレスがあらかじめ異なる場合、ネットワークアドレスを用いた区域判別は有効となる。
【００９４】
なお、送信端末設置区域情報１１ｃとプロジェクタ設置区域情報２１ｃは、ＩＰアドレスとサブネットマスクに限らず適宜変更可能である。
【００９５】
例えば、送信端末設置区域情報１１ｃとして、送信端末１の設置区域を特定するためのキーワードが用いられ、プロジェクタ設置区域情報２１ｃとして、プロジェクタ２の設置区域を特定するためのキーワードが用いられてもよい。
【００９６】
この場合、例えば、あらかじめＧＵＩなどで、送信端末１の送信端末情報格納部１１に、送信端末１が設置されている区域をあらわすキーワード、例えば、“ＴＯＫＹＯ”などが格納される。また、あらかじめＧＵＩなどで、プロジェクタ２のプロジェクタ情報格納部２１に、プロジェクタ２が設置されている区域をあらわすキーワードがされる。
【００９７】
この場合、判別部２３は、図１０に示すように、それぞれのキーワードを照合する（ステップＳ１００１、Ｓ１００２）。
【００９８】
両キーワードが一致しなければ、判別部２３は、送信端末１とプロジェクタ２が同じ区域にないと判別し、オン状態の音声再生フラグを送信元情報に付加する（ステップＳ１００３）。
【００９９】
両キーワードが一致したら、判別部２３は、送信端末１とプロジェクタ２が同じ区域にあると判別し、オフ状態の音声再生フラグを送信元情報に付加する（ステップＳ１００４）。
【０１００】
送信端末設置区域情報１１ｃおよびプロジェクタ設置区域情報２１ｃとして、区域をあらわすキーワードを用いることで、各区域のネットワークアドレスが同じ構成となる場合でも、送信端末１とプロジェクタ２とが同区域にあるか否かを判別することができる。
【０１０１】
それでは、再び説明を図８に戻す。
【０１０２】
区域判別の後、受信管理部２２は、判別部２３から、音声再生フラグが付加された送信元情報を受け付け、その送信元情報を受信部２４ｄ１に通知する（ステップＳ４）。
【０１０３】
受信部２４ｄ１は、通知された音声再生フラグ付き送信元情報を、送信元リスト格納部２４ａに登録し（ステップＳ５）、受信管理部２２に応答を返す（ステップＳ６）。
【０１０４】
受信管理部２２は、応答を受け取ると、プロジェクタ情報格納部２１内のプロジェクタ情報をもとに、プロジェクタ２のＩＰアドレス（送信先情報）を含む接続応答データを生成する（ステップＳ７）。
【０１０５】
受信管理部２２は、その接続応答データに応じた接続応答を、送信端末１に返信する（ステップＳ８）。
【０１０６】
送信端末１内の送信管理部１２は、接続応答を受信すると、その接続応答に含まれる送信先情報を送信部１９に通知する（ステップＳ９）。
【０１０７】
送信部１９は、通知された送信先情報を送信先リスト格納部１３に登録する（ステップＳ１０）。
【０１０８】
この後、送信端末１が多重化データを送信すると（ステップＳ１１、Ｓ１２）、プロジェクタ２内の受信部２４ｄ１は、多重化データに付いている送信元ＩＰアドレスをもとに、送信元リスト格納部２４ａを参照して、多重化データの送信先に対応する音声再生フラグを取得し、それを多重化データに付加してデータ分離部２４ｄ２に渡す（ステップＳ１３）。
【０１０９】
データ分離部２４ｄ２は、渡された多重化データを、映像圧縮データと音声圧縮データとに分離し、フィルタ部１０２は、音声再生フラグをもとに音声を再生するか否かを判別し、音声を再生しない場合（音声再生フラグがオフの場合）には、その音声圧縮データを破棄するといったフィルタリングを行う（ステップＳ１４）。
【０１１０】
音声展開部２４ｃ１は、フィルタ部２４ｄ３から音声圧縮データを受け付けると、その音声圧縮データを展開して音声データを生成し、その音声データを音声出力部２４ｃ２に供給する。
【０１１１】
音声出力部２４ｃ２は、音声展開部２４ｃ１から音声データを受け付けると、その音声データに応じた音声を出力する。
【０１１２】
一方、映像展開部２４ｂ１は、データ分離部２４ｄ２から映像圧縮データを受け付けると、その映像圧縮データを展開して映像データを生成し、その映像データを映像出力部２４ｂ２に供給する。
【０１１３】
映像出力部２４ｂ２は、映像展開部２４ｂ１から映像データを受け付けると、その映像データに応じた映像をスクリーン（不図示）に投射する。
【０１１４】
第１の実施例の効果について説明する。
【０１１５】
第１の実施例によれば、ＭＣＵ等の装置を設置することなく、ピアツーピアで多地点プレゼンテーションシステムを簡単に構成することが可能になる。
【０１１６】
また、本実施例では、出力部２４は、判別部２３の判別結果によらず、送信端末１からの映像データに基づく映像を出力する。また、出力部２４は、判別部２３が送信端末１とプロジェクタ２の両者は同じ区域にあると判別した場合、送信端末１からの音声データに基づく音声の出力を禁止し、判別部２３が両者は同じ区域にないと判別した場合には、その音声データに基づく音声を出力する。
【０１１７】
この場合、発言者が自分の発した声とプロジェクタ２から出力される自分の声の両方を聞くことを防止でき、発言者が違和感を覚えることを防止可能になる。
【０１１８】
また、本実施例では、送信元リスト格納部２４ａは、判別部２３の判別結果を記憶し、制御部２４ｄが、その記憶された判別結果を参照して、送信端末１とプロジェクタ２が同じ区域にいるか否かを確認する。
【０１１９】
この場合、例えば、制御部２４ｄが音声データを受け付けるたびに、判別部２３が、送信端末１とプロジェクタ２が同じ区域にいるか否かの判別を行う場合に比べて、判別部２３の処理を軽減することが可能になる。
【０１２０】
また、本実施例では、受信管理部２２は、送信端末１から、送信端末設置区域情報１１ｃを含む接続要求を受信し、その接続要求の応答を、送信端末１に送信する。
【０１２１】
この場合、接続処理の一環として送信端末設置区域情報１１ｃを受信することが可能になる。
【０１２２】
また、送信端末１のＩＰアドレスおよびサブネットマスクが、送信端末設置区域情報１１ｃとして用いられ、プロジェクタ２のＩＰアドレスおよびサブネットマスクが、プロジェクタ設置区域情報２１ｃとして用いられている場合、通信時に使用されるＩＰアドレスおよびサブネットマスクを、設置区域情報として兼用でき、情報の効率化が図れる。
【０１２３】
また、送信端末１の設置区域を特定するためのキーワードが、送信端末設置区域情報１１ｃとして用いられ、プロジェクタ２の設置区域を特定するためのキーワードがプロジェクタ設置区域情報２１ｃとして用いられている場合、各区域のネットワークアドレスが同じ構成となる場合でも、送信端末１とプロジェクタ２が同じ区域にあるか否かを判別することができる。
【０１２４】
また、プロジェクタがすでに映像や音声を受信する機能を有する場合、その機能に修正を加えるだけでプロジェクタ２を実現可能であり、開発コストが安くすむ。
【０１２５】
また、音声のフィルタリングがプロジェクタ２側で行われるため、送信端末１側では同じ多重化データを全てのプロジェクタ２に送信すればよく、送信端末１の構成が単純ですむ。
【０１２６】
また、制御部２４ｄは、送信端末１とプロジェクタ２が同じ区域にある場合、音声データを破棄する。この場合、例えば、不要な音声データを保存する無駄を省くことが可能になる。
【０１２７】
次に、本発明の第２の実施例について、図１１〜図１５を参照して詳細に説明する。
【０１２８】
なお、第２の実施例は、映像と音声とを多重化して送信する必要のないプレゼンテーションシステムを対象とする。
【０１２９】
図１１は、本発明の第２の実施例の送信端末ｍ１の構成を示すブロック図である。なお、送信端末ｍ１は、図１に示した送信端末１Ａ、１Ｂおよび１Ｃとして用いられる。
【０１３０】
送信端末ｍ１は、送信端末情報格納部１１、送信管理部ｍ１２、判別部ｍ１０１、映像データ出力部ｍ１０３、音声データ出力部ｍ１０４、および、配信部ｍ１０５を有する。
映像データ出力部ｍ１０３は、映像入力部１４と映像圧縮部１５を有する。音声データ出力部ｍ１０４は、音声入力部１６と音声圧縮部１７を有する。配信部ｍ１０５は、送信先リスト格納部ｍ１３と送信制御部ｍ１０６を有する。送信制御部ｍ１０６は、送信部ｍ１９とフィルタ部ｍ１０２を含む。
【０１３１】
送信部ｍ１９は、送信先リスト格納部ｍ１３とフィルタ部ｍ１０２を内蔵してもよいし、内蔵しなくてもよい。
【０１３２】
送信管理部ｍ１２は、判別部ｍ１０１を内蔵してもよいし、内蔵しなくてもよい。
【０１３３】
なお、図１１において、図２に示したものと同一のものには同一符号を付してある。
【０１３４】
図１２は、送信端末ｍ１と通信可能なプロジェクタｍ２の構成を示すブロック図である。なお、プロジェクタｍ２は、図１に示したプロジェクタ２Ａ、２Ｂおよび２Ｃとして用いられる。
【０１３５】
プロジェクタｍ２は、プロジェクタ情報格納部２１、受信管理部ｍ２２、送信元リスト格納部ｍ２４ａ、受信部ｍ２４ｄ１、映像展開部２４ｂ１、映像出力部２４ｂ２、音声展開部２４ｃ１、および、音声出力部２４ｃ２を含む。
【０１３６】
なお、図１２において、図３に示したものと同一のものには同一符号を付してある。
【０１３７】
まず、送信端末ｍ１について、図２に示した送信端末１と異なる点を中心に説明する。
【０１３８】
送信端末情報格納部１１は、格納手段の一例である。
【０１３９】
送信管理部ｍ１２は、通信管理手段の一例である。
【０１４０】
送信管理部ｍ１２は、送信端末情報格納部１１内の送信端末情報をもとに、送信元情報（例えば、送信端末のＩＰアドレス）を含む接続要求データを生成し、その接続要求データに応じた接続要求をプロジェクタｍ２に送信する。
【０１４１】
送信管理部ｍ１２は、接続要求の応答として接続応答を受信し、その接続応答に含まれる送信先情報（プロジェクタｍ２のＩＰアドレス、サブネットマスクおよびプロジェクタ設置区域情報を含む）を、判別部ｍ１０１に供給する。
【０１４２】
判別部ｍ１０１は、判別手段の一例である。判別部ｍ１０１は、送信先情報内のプロジェクタ設置区域情報と、送信端末情報格納部１１内の送信端末設置区域情報と、に基づいて、送信端末ｍ１とプロジェクタｍ２が同じ区域にあるか否かを判別する。
【０１４３】
例えば、送信端末設置区域情報がプロジェクタ設置区域情報と一致する場合、判別部ｍ１０１は、送信端末ｍ１とプロジェクタｍ２が同じ区域にあると判別する。一方、送信端末設置区域情報がプロジェクタ設置区域情報と一致しない場合、判別部ｍ１０１は、送信端末ｍ１とプロジェクタｍ２が同じ区域にないと判別する。
【０１４４】
判別部ｍ１０１は、送信端末ｍ１とプロジェクタｍ２が同じ区域にあると判別した場合、送信端末ｍ１からの音声データの送信を禁止するために、オフ状態の音声送信フラグを送信先情報に付加する。なお、音声データは、音声圧縮データでもよい。
【０１４５】
また、判別部ｍ１０１は、送信端末ｍ１とプロジェクタｍ２が同じ区域にないと判別した場合、送信端末ｍ１から音声データを送信するために、オン状態の音声送信フラグを送信先情報に付加する。
【０１４６】
判別部ｍ１０１は、音声送信フラグが付加された送信先情報を、送信管理部ｍ１２に供給する。
【０１４７】
なお、送信管理部ｍ１２は、判別部ｍ１０１から音声送信フラグ付きの送信先情報を受け付けた場合、その音声送信フラグ付き送信先情報を、配信部ｍ１０５、具体的には送信部ｍ１９に供給する。送信部ｍ１９は、音声送信フラグ付きの送信先情報を、送信先リスト格納部ｍ１３に格納する。
【０１４８】
送信先リスト格納部ｍ１３は、記憶手段の一例である。
【０１４９】
図１３は、送信先リスト格納部ｍ１３に記憶される情報の一例を示した説明図である。
【０１５０】
図１３において、送信先リスト格納部ｍ１３には、音声送信フラグ付きの送信先情報ｍ１３ａが記憶される。
【０１５１】
図１１に戻って、映像データ出力部ｍ１０３は、映像データ出力手段の一例である。映像データ出力部ｍ１０３は、配信用の映像データ（例えば、映像圧縮データ）を配信部ｍ１０５、具体的には送信部ｍ１９に出力する。
【０１５２】
音声データ出力部ｍ１０４は、音声データ出力手段の一例である。音声データ出力部ｍ１０４は、マイク３等からユーザの音声に応じた音声データを受け付け、その音声データ（例えば、音声圧縮データ）を配信部ｍ１０５、具体的には送信部ｍ１９に出力する。
【０１５３】
配信部ｍ１０５は、送信手段の一例である。
【０１５４】
配信部ｍ１０５は、送信端末ｍ１とプロジェクタｍ２が同じ区域にある場合には、映像データ出力部ｍ１０３からの映像データをプロジェクタｍ２に送信すると共にプロジェクタｍ２への音声データの提供を禁止する。
【０１５５】
また、配信部ｍ１０５は、送信端末ｍ１とプロジェクタｍ２が同じ区域にない場合には、映像データ出力部ｍ１０３からの映像データと音声データ出力部ｍ１０４からの音声データとを、プロジェクタｍ２に送信する。
【０１５６】
送信制御部ｍ１０６は、送信制御手段の一例である。
【０１５７】
送信制御部ｍ１０６は、送信先リスト格納部ｍ１３を参照して、送信端末ｍ１とプロジェクタｍ２が同じ区域にある場合には、映像データ出力部ｍ１０３からの映像データをプロジェクタｍ２に送信すると共にプロジェクタｍ２への音声データの送信を禁止する。
【０１５８】
また、送信制御部ｍ１０６は、送信先リスト格納部ｍ１３を参照して、送信端末ｍ１とプロジェクタｍ２が同じ区域にない場合には、映像データ出力部ｍ１０３からの映像データと音声データ出力部ｍ１０４からの音声データとを、プロジェクタｍ２に送信する。
【０１５９】
送信部ｍ１９は、送信管理部ｍ１２から渡される送信先情報を送信先リスト格納部ｍ１３に登録し、その登録された送信先に対して、映像圧縮データおよび音声圧縮データを送信する。
【０１６０】
このとき、送信先リスト格納部ｍ１３内の当該送信先の音声送信フラグがオフ、すなわち、送信先が送信端末ｍ１と同じ区域にあるプロジェクタである場合、フィルタ部ｍ１０２は、音声圧縮データを破棄し、音声圧縮データが当該送信先に送信されることを禁止する。
【０１６１】
次に、プロジェクタｍ２について、図３に示したプロジェクタ２と異なる点を中心に説明する。
【０１６２】
受信管理部ｍ２２は、送信端末ｍ１から接続要求を受信し、その接続要求に含まれる送信元情報を受信部ｍ２４ｄ１に通知する。受信部ｍ２４ｄ１は、受信管理部ｍ２２から渡される送信元情報を送信元リスト格納部ｍ２４ａに登録する。
【０１６３】
図１４は、送信元リスト格納部ｍ２４ａに記憶される情報の一例を示した説明図である。図１４において、送信元リスト格納部ｍ２４ａには、送信元情報ｍ２４ａ１が記憶される。
【０１６４】
図１２に戻って、受信部ｍ２４ｄ１は、送信元情報を受け付けると、接続要求応答を受信管理部ｍ２２に通知する。
【０１６５】
受信管理部ｍ２２は、受信部ｍ２４ｄ１から接続要求応答を受け取ると、プロジェクタ情報格納部２１内のプロジェクタ情報を含む接続応答データを生成し、その接続応答データに応じた接続応答を送信端末ｍ１に返信する。
【０１６６】
受信部ｍ２６は、映像圧縮データおよび音声圧縮データを受信し、それぞれを映像展開部２２、音声展開部２４に供給する。
【０１６７】
次に、第２の実施例の動作について図面を参照して詳細に説明する。
【０１６８】
図１５は、送信端末ｍ１とプロジェクタｍ２との間で、同じ区域からの音声をフィルタリングするための手順を説明するためのシーケンス図である。
【０１６９】
送信端末ｍ１内の送信管理部ｍ１２は、例えば、ユーザ等の接続用動作に応じて、送信端末情報格納部１１内の送信端末情報をもとに、送信元情報を含む接続要求データを生成する（ステップＴ１）。
【０１７０】
続いて、送信管理部ｍ１２は、接続要求データに応じた接続要求をプロジェクタｍ２へ送信する（ステップＴ２）。
【０１７１】
プロジェクタｍ２内の受信管理部ｍ２２は、接続要求を受信すると、その接続要求に含まれる送信元情報を受信部ｍ２４ｄ１に通知する（ステップＴ３）。
【０１７２】
受信部ｍ２４ｄ１は、送信元情報を受け付けると、その送信元情報を送信元リスト格納部ｍ２４ａに登録し（ステップＴ４）、受信管理部ｍ２２に応答を返す（ステップＴ５）。
【０１７３】
受信管理部ｍ２２は応答を受け取ると、プロジェクタ情報格納部２１内のプロジェクタ情報を送信先情報として含む接続応答データを生成し（ステップＴ６）、その接続応答データに応じた接続応答を送信端末ｍ１に返信する（ステップＴ７）。
【０１７４】
送信端末ｍ１内の送信管理部ｍ１２は、接続応答を受信すると、その接続応答から送信先情報を抽出し、その送信先情報を判別部ｍ１０１に供給する。
【０１７５】
判別部ｍ１０１は、送信先情報内のプロジェクタ設置区域情報と、送信端末情報格納部１１内の送信端末設置区域情報と、に基づいて、送信端末ｍ１とプロジェクタｍ２が同じ区域にあるか否か、すなわち、音声を送信するか否かを判別する（ステップＴ８）。
【０１７６】
例えば、送信端末ｍ１のＩＰアドレスおよびサブネットマスクが、送信端末設置区域情報として用いられ、プロジェクタｍ２のＩＰアドレスおよびサブネットマスクが、プロジェクタ設置区域情報として用いられた場合、判別部ｍ１０１は、以下のように動作する。
【０１７７】
判別部ｍ１０１は、送信端末ｍ１とプロジェクタｍ２のＩＰアドレスとサブネットマスクから、それぞれのネットワークアドレスを算出して照合する。
【０１７８】
両ネットワークアドレスが一致しなければ、判別部ｍ１０１は、送信端末ｍ１とプロジェクタｍ２が同じ区域にないと判別し、音声を送信するために、オン状態の音声送信フラグを送信先情報に付加する。
【０１７９】
一方、両ネットワークアドレスが一致したら、判別部ｍ１０１は、送信端末ｍ１とプロジェクタｍ２が同じ区域にあると判別し、音声を送信しないために、オフ状態の音声送信フラグを送信先情報に付加する。
【０１８０】
各区域のネットワークアドレスがあらかじめ異なる場合、ネットワークアドレスを用いた区域判別は有効となる。
【０１８１】
なお、第１の実施例と同様に、送信端末設置区域情報とプロジェクタ設置区域情報は、ＩＰアドレスとサブネットマスクに限らず適宜変更可能である。
【０１８２】
例えば、送信端末設置区域情報として、送信端末ｍ１の設置区域を特定するためのキーワードが用いられ、プロジェクタ設置区域情報として、プロジェクタｍ２の設置区域を特定するためのキーワードが用いられてもよい。
【０１８３】
この場合、判別部ｍ１０１は、まず、それぞれのキーワードを照合する。
【０１８４】
両キーワードが一致しなければ、判別部ｍ１０１は、送信端末ｍ１とプロジェクタｍ２が同じ区域にないと判別し、オン状態の音声送信フラグを送信先情報に付加する。
【０１８５】
一方、両キーワードが一致したら、判別部ｍ１０１は、送信端末ｍ１とプロジェクタｍ２が同じ区域にあると判別し、オフ状態の音声再生フラグを送信先情報に付加する。
【０１８６】
送信端末設置区域情報およびプロジェクタ設置区域情報として、区域をあらわすキーワードを用いることで、各区域のネットワークアドレスが同じ構成となる場合でも、同区域か否かを判別することができる。
【０１８７】
区域判別の後、送信管理部ｍ１２は、判別部ｍ１０１から、音声送信フラグが付加された送信先情報を受け付け、その送信先情報を送信部ｍ１９に通知する（ステップＴ９）。
【０１８８】
送信部ｍ１９は、通知された音声送信フラグ付き送信先情報を、送信先リスト格納部ｍ１３に登録する（ステップＴ１０）。
【０１８９】
この後、送信部ｍ１９は、音声圧縮データを受け付けると（ステップＴ１１）、送信先リスト格納部ｍ１３を参照して音声送信フラグを取得し、その音声送信フラグを音声圧縮データに付加する。送信部ｍ１９は、音声送信フラグ付きの音声圧縮データをフィルタ部ｍ１０２に供給する。
【０１９０】
フィルタ部ｍ１０２は、オフ状態の音声送信フラグが付加されている音声圧縮データを破棄して、その音声圧縮データを送信しないといったフィルタリングを行う（ステップＴ１３）。一方、フィルタ部ｍ１０２を通過した音声圧縮データ（オン状態の音声送信フラグ）は、プロジェクタｍ２に送信される。
【０１９１】
なお、送信部ｍ１９は、映像圧縮データを受け付けると、その映像圧縮データをプロジェクタｍ２に送信する。
【０１９２】
第２の実施例の効果について説明する。
【０１９３】
第２の実施例によれば、映像と音声とを多重化せずに送信するプレゼンテーションシステムにおいて、配信部ｍ１０５が、送信端末ｍ１と同じ区域にあるプロジェクタに音声データを送信しないことで、第１の実施例と同様の効果が得られる。
【０１９４】
また、送信先リスト格納部ｍ１３が判別部ｍ１０１の判別結果を記憶し、送信制御部ｍ１０６が、その記憶された判別結果を参照して、送信端末ｍ１とプロジェクタｍ２が同じ区域にいるか否かを確認する。
【０１９５】
この場合、例えば、送信制御部ｍ１０６が音声データ（例えば、音声圧縮データ）を受け付けるたびに、判別部ｍ１０１が区域判別を行う場合に比べて、判別部ｍ１０１の処理を軽減することが可能になる。
【０１９６】
さらに、配信部ｍ１０５（送信制御部ｍ１０６）が、再生の必要のない音声データを送信しないため、プロジェクタは受信した音声データを再生すればよく、構成が単純ですむ。
【０１９７】
加えて、通信帯域の使用量を低減することにもなる。
【０１９８】
以上説明した各実施例において、図示した構成は単なる一例であって、本発明はその構成に限定されるものではない。
【図面の簡単な説明】
【０１９９】
【図１】本発明の一実施例の多地点プレゼンテーションシステムを示したブロック図である。
【図２】送信端末１の構成を示したブロック図である。
【図３】本発明の一実施例のプロジェクタ２の構成を示したブロック図である。
【図４】送信端末情報の一例を示した説明図である。
【図５】送信先リスト格納部１３に格納された送信先情報１３ａの一例を示した説明図である。
【図６】プロジェクタ情報の一例を示した説明図である。
【図７】送信元リスト格納部２４ａが記憶する情報に一例を示した説明図である。
【図８】送信端末１とプロジェクタ２との間で、同じ区域からの音声をフィルタリングするための手順を説明するためのシーケンス図である。
【図９】判別部２３の動作の一例を説明するためのフローチャートである。
【図１０】判別部２３の動作の他の例を説明するためのフローチャートである。
【図１１】本発明の第２の実施例の送信端末ｍ１の構成を示すブロック図である。
【図１２】プロジェクタｍ２の構成を示すブロック図である。
【図１３】送信先リスト格納部ｍ１３に記憶される情報の一例を示した説明図である。
【図１４】送信元リスト格納部ｍ２４ａに記憶される情報の一例を示した説明図である。
【図１５】送信端末ｍ１とプロジェクタｍ２との間で、同じ区域からの音声をフィルタリングするための手順を説明するためのシーケンス図である。
【符号の説明】
【０２００】
２        プロジェクタ
２１      プロジェクタ情報格納部
２２      受信管理部
２３      判別部
２４      出力部
２４ａ    送信元リスト格納部
２４ｂ    第１出力部
２４ｂ１  映像展開部
２４ｂ２  映像出力部
２４ｃ    第２出力部
２４ｃ１  音声展開部
２４ｃ２  音声出力部
２４ｄ    制御部
２４ｄ１  受信部
２４ｄ２  データ分離部
２４ｄ３  フィルタ部
ｍ１      送信端末
ｍ１０１  判別部
ｍ１０２  フィルタ部
ｍ１０３  映像データ出力部
ｍ１０４  音声データ出力部
ｍ１０５  配信部
ｍ１０６  送信制御部
ｍ１２    送信管理部
ｍ１３    送信先リスト格納部
ｍ１９    送信部
１１      送信端末情報格納部
１４      映像入力部
１５      映像圧縮部
１６      音声入力部
１７      音声圧縮部
【図１】
2008294806.tif 000003
【図２】
2008294806.tif 000004
【図３】
2008294806.tif 000005
【図４】
2008294806.tif 000006
【図５】
2008294806.tif 000007
【図６】
2008294806.tif 000008
【図７】
2008294806.tif 000009
【図８】
2008294806.tif 000010
【図９】
2008294806.tif 000011
【図１０】
2008294806.tif 000012
【図１１】
2008294806.tif 000013
【図１２】
2008294806.tif 000014
【図１３】
2008294806.tif 000015
【図１４】
2008294806.tif 000016
【図１５】
2008294806.tif 000017